(57)【要約】      （修正有）【課題】常用時における放電ランプの点灯状態を非常用点灯装置側において容易に検知できるようにした放電ランプ点灯装置およびこの放電ランプ点灯装置を備えた非常用照明装置を遠隔制御により自動点検する防災用照明器具自動点検システムを提供する。【解決手段】  放電ランプ点灯装置ＤＯＣは、常用時に放電ランプ１を点灯する常用点灯装置２と、非常時に放電ランプを点灯する非常用点灯装置３と、非常用点灯装置の点検を開始させる点検スイッチ４と、非常用点灯装置内に配設されていて常用時に電源から常用点灯装置の電源回路に流入する電流により放電ランプの点灯状態を検知する制御回路５とを具備している。【選択図】図１
2008053127.tif 000002
【特許請求の範囲】
【請求項１】
常用時に放電ランプを点灯する常用点灯装置と；
非常時に放電ランプを点灯する非常用点灯装置と；
非常用点灯装置の点検を開始させる点検スイッチと；
非常用点灯装置内に配設されていて常用時に電源から常用点灯装置の電源回路に流入する電流により放電ランプの点灯状態を検知する制御回路と；
を具備していることを特徴とする放電ランプ点灯装置。
【請求項２】
制御回路は、壁スイッチのオン時に常用点灯装置の電源回路を流れる電流により壁スイッチの投入を検知する壁スイッチ投入検知回路、常用点灯装置の電源回路に挿入されて壁スイッチ投入検知回路に連動する電源切換リレーおよび電源切換リレーを介して常用点灯装置に流入する入力電流を検出する入力電流検出回路を含み、壁スイッチ投入検知回路が壁スイッチの投入を検知したときに放電ランプを点灯させるように制御を開始するとともに、壁スイッチ投入検知回路における壁スイッチ投入検知時および入力電流検出回路に流れる入力電流が所定値以上のときの少なくともいずれか一方の条件が満足されたことによって放電ランプが点灯状態であると判定するように構成されていることを特徴とする請求項１記載の放電ランプ点灯装置。
【請求項３】
放電ランプを交換した際に点検スイッチを所定の手順で操作することによりランプ交換情報を入力するように構成されていることを特徴とする請求項１または２記載の放電ランプ点灯装置。
【請求項４】
請求項１ないし３のいずれか一記載の放電ランプ点灯装置を備えた非常用照明器具と；
非常用照明器具が接続するネットワークと；
ネットワーク内に接続して非常用照明器具を制御および監視するとともに非常用照明器具の放電ランプ交換記録を記憶するように構成した制御監視装置と；
を具備していることを特徴とする防災用照明器具自動点検システム。
【発明の詳細な説明】
【技術分野】
【０００１】
本発明は、非常用点灯装置を備えた放電ランプ点灯装置およびこの放電ランプ点灯装置を備えた非常用照明装置を遠隔制御により自動点検する防災用照明器具自動点検システムに関する。
【背景技術】
【０００２】
通常時および非常時のいずれにおいても点灯できるように構成されたランプを備えた非常用照明器具は、通常時において商用電源により付勢されて発生した高周波電圧でランプを点灯する常用点灯装置と、非常時において通常時に充電されたバッテリにより付勢されて発生し高周波電圧でランプを点灯する非常用点灯装置とを具備している。そして、非常用点灯装置によりランプを点灯させている状態でランプの異常の有無を光検出部の検出結果をもとに検出する照明装置が知られている（特許文献１参照。）。
【０００３】
一方、誘導灯および非常用照明器具は、消防法や建築基準法により定期（６ヶ月）点検が義務付けられていて、配設されている点検スイッチを操作することにより、点検を行うことができる。点検は、所定時間の間、規定の照度で点灯することを確認するものである。また、法定による点検だけでなく、日常的に点検を行うのが好ましいことである。
【０００４】
多数の誘導灯を設置している施設においては、誘導灯の点検作業に要する労力が多大になるが、短時間に、かつ安全に多数の誘導灯の点検を一括して制御・監視できるようにするために、遠隔制御による自動点検を行えるように構成された誘導灯自動点検システムが提案されている（例えば、特許文献２参照。）。
【０００５】
【特許文献１】特開２００６−０１２６３１号公報
【特許文献２】特開２００４−１１１３４７号公報
【発明の開示】
【発明が解決しようとする課題】
【０００６】
通常時および非常時のいずれにおいても放電ランプを点灯できるように構成された放電ランプ点灯装置において、放電ランプの異常検出やランプ交換時期判定などを行うには、放電ランプの点灯状態を検知できる必要がある。
【０００７】
特許文献１に記載された照明装置では、ランプの異常の有無を検出する手段を備えているが、当該手段が光検出部からなるために、照明装置の構造が複雑になってしまうという問題がある。
【０００８】
本発明は、常用時における放電ランプの点灯状態を非常用点灯装置側において容易に検知できるようにした放電ランプ点灯装置およびこの放電ランプ点灯装置を備えた非常用照明装置を遠隔制御により自動点検する防災用照明器具自動点検システムを提供することを目的とする。
【課題を解決するための手段】
【０００９】
本発明の放電ランプ点灯装置は、常用時に放電ランプを点灯する常用点灯装置と；非常時に放電ランプを点灯する非常用点灯装置と；非常用点灯装置の点検を開始させる点検スイッチと；非常用点灯装置内に配設されていて常用時に電源から常用点灯装置の電源回路に流入する電流により放電ランプの点灯状態を検知する制御回路と；を具備していることを特徴としている。
【００１０】
〔常用点灯装置について〕    常用点灯装置は、通常時において電源、例えば交流電源により付勢されて、例えば高周波電圧を発生して放電ランプを点灯する回路手段であるが、後述する非常用点灯装置とは別に構成されていて、壁スイッチを投入したときにのみその電源回路が形成される。ただし、常用点灯装置の部品を実装するために用いる配線基板は、所望により両者共通になっていることを許容する。
【００１１】
また、常用点灯回路は、その回路構成が特段限定されない。しかし、電子点灯回路と称される高周波インバータを主体とする回路構成のものが好適である。
【００１２】
〔非常用点灯装置について〕    非常用点灯装置は、非常時（点検時を含む。）バッテリにより付勢され高周波電圧を発生してランプを点灯する回路手段であるが、前述のように常用点灯装置とは別に構成され、一般的には常時電源、例えば交流電源に接続してバッテリが継続的に充電されるように構成されている。
【００１３】
したがって、非常用点灯装置は、少なくともバッテリおよび非常用の高周波点灯回路などの点灯回路を備えて構成される。なお、非常用の高周波点灯回路は、その回路構成が特段限定されない。しかし、好適には電子点灯回路と称される高周波インバータを主体とする回路構成のものである。
【００１４】
また、非常用点灯装置は、バッテリを充電するために、充電回路を備えることができる。なお、充電回路は、交流電源電圧を整流し、所要値の直流電圧に変換してバッテリを充電する。さらに、負荷側から見たときの停電を検出して常用点灯回路と非常用点灯装置を切り換えるための切換回路を非常用点灯装置に付設することができる。
【００１５】
また、非常用点灯装置の内部には制御回路が配設されていて、放電ランプの点灯および消灯のための制御動作を行うとともに、常用時に電源から常用点灯装置の電源回路に流入する電流により放電ランプの点灯状態を間接的または直接的に検知するように構成されている。放電ランプの点灯状態を検知する場合の具体的な一例を示すと次のとおりである。なお、制御回路にはマイコンや集積回路を主体として構成することができる。
【００１６】
１．壁スイッチ投入検知回路による放電ランプ点灯状態の検知
この検知の態様では、常用点灯装置が壁スイッチを介して電源に接続している構成において、制御回路内に壁スイッチ投入検知回路が配設される。この壁スイッチ投入検知回路には、壁スイッチが投入されると、常用点灯装置の電源回路を経由して電流が流れるので、壁スイッチが投入されたことを検知できる。
【００１７】
壁スイッチの投入が検知されると、制御回路は、放電ランプの点灯のために予め定めた所定の制御シーケンスの実行を開始する。そこで、放電ランプの点灯のために制御が開始されるので、このときに放電ランプが点灯状態になると推定するものである。上記のように、壁スイッチが投入されてオンし、後述する常用点灯回路が作動すれば、放電ランプが実際に点灯するので、壁スイッチの投入を検知したことをもって、放電ランプが点灯状態であると制御回路が間接的に推定しても検知の目的によっては実際上支障ない。
【００１８】
そうして、この検知の態様によれば、上記のように放電ランプの点灯状態と推定するので、放電ランプの累積点灯時間を算出して放電ランプの寿命末期の到来を警告する場合や初期照度制御を行うなどの場合に特に好適である。
【００１９】
また、この検知の態様によれば、後述する他の検知の態様との論理積（ＡＮＤ）や論理和（ＯＲ）条件を求めて検知する場合に、信頼性の向上や検知の漏れを防止することができるので好適である。
【００２０】
２．電源切換リレーのオンによる放電ランプ点灯状態の検知
この検知の態様は、壁スイッチ投入検知回路が壁スイッチの投入を検知したときに連動してオンする電源切換リレーを配設するもので、このリレーがオンすると、常用点灯装置の入力端が壁スイッチを経由して電源に接続する。そこで、上記電源切換リレーのオンを検出して放電ランプの点灯状態を間接的に検知するように構成される。
【００２１】
この態様においては、電源切換リレーがオンすると、常用点灯装置に電源が供給されるので、放電ランプが付勢される。
【００２２】
そうして、この検知の態様によれば、放電ランプの点灯状態を１．の検知より実際の点灯に近い状態をもって放電ランプの点灯を推定するので、より一層確率の高い推定ができる。
【００２３】
３．常用点灯装置の入力電流の監視による放電ランプ点灯状態の検知
この検知の態様は、放電ランプが点灯状態のときにおける常用点灯装置の入力電流の値を予め求めておくことにより、所定値以上の入力電流であれば放電ランプ点灯状態であると判定するものである。したがって、放電ランプの点灯状態を直接的に検知できることになる。
【００２４】
例えば、常用点灯装置の入力電流が流れる電源回路部分に入力電流検出回路を挿入する。この場合、所望により前記１．および／または２．の構成が付加されていることを許容する。なお、この検知において、放電ランプは点灯していなくても、点灯に準じる状態としてフィラメント予熱や始動時をも検知するようにすることができる。この場合、点灯時、予熱時および始動時のいずれの状態にあっても検知可能な電流値として、いずれの状態にも共通する低い値をしきい値として設定すればよい。
【００２５】
そうして、この検知の態様によれば、放電ランプに流入する電流を常用点灯装置の電源回路に流れる入力電流により放電ランプの点灯状態を検知するので、その検知は直接的であり、実際的な検知が得られる。したがって、この検知の態様は、放電ランプの異常検知に対して好適である。しかし、放電ランプの累積点灯時間を算出して放電ランプの寿命末期の到来を警告する場合や初期照度制御を行うなどの場合に対しても有効な検知態様であることはいうまでもない。
【００２６】
〔本発明におけるその他の態様について〕
１．非常点灯時の動作で放電ランプの交換記録を非常用点灯装置内に残すように構成されている。
【００２７】
点検時を含めた非常点灯時に放電ランプ交換の記録情報の保存動作を実行させる。また、この態様において、ランプ交換の事実を非常用照明器具に配設されるランプモニター（赤色発光）によって視覚的に知らせるように構成することができる。すなわち、非常点灯時にランプが装着されていても寿命などによりランプが点灯しない状態ではランプモニターが点灯している。そこで、旧ランプを取り外して新ランプが装着されてランプ交換を行われると、上記モニターが消灯する。制御回路は、以上の動作をもってランプ交換が行われたと記録し、その情報を保存する。
【００２８】
ランプ交換の情報は、後述する防災用照明器具自動点検システムの制御監視装置にネットワークを経由して送信され、記録が保存されるとともに、所望により表示される。
【００２９】
そうして、本態様によれば、制御回路のソフトウエアを改良すればよく、ランプモニターを利用してランプ交換を視覚的に表示できるので、非常用照明器具の構造が複雑化することがない。また、防災用照明器具自動点検システムにランプ交換情報を送信することができ、システムの機能向上を図ることができる。
【００３０】
２．点検スイッチを所定手順で操作したときにランプ交換が行われたとして、その記録を保存するように構成されている。
【００３１】
例えば、旧放電ランプを外し、点検スイッチを操作することで非常点灯状態に切り換える。この状態でランプモニターが点灯する。次に、新放電ランプを装着して、再度点検スイッチを操作して、非常点灯状態にする。すると、ランプ交換が記録、保存されるとともにランプモニターは消灯する。
【００３２】
他の態様として、上記において再度点検スイッチを操作する際に、点検スイッチを通常より長く操作し続ける。これによりランプ交換が記録、保存されるとともにランプモニターは消灯するように構成することができる。
【００３３】
そうして、本態様によれば、ランプ交換専用の操作スイッチなどの付加的構造物を配設ずることなしにランプ交換を記録、保存し、かつ視覚的に表示することができる。
【００３４】
本発明の防災用照明器具自動点検システムは、請求項１ないし３のいずれか一記載の放電ランプ点灯装置を備えた防災用照明器具と；防災用照明器具がその通信部を経由して接続するネットワークと；ネットワーク内に接続して防災用照明器具を制御および監視する制御監視装置と；を具備している。
【００３５】
〔防災用照明器具について〕    防災用照明器具は、前述の放電ランプ点灯装置を備えている。
【００３６】
〔ネットワークについて〕    ネットワークは、有線および無線で構築されたネットワークのいずれであってもよい。また、ネットワーク内の通信方式は、既知の各種通信方式のいずれを用いてもよい。例えば、専用信号線、電話線、配電線、電波、赤外線または超音波などの信号伝送媒体を用いてネットワークを構築することができる。なお、有線の場合、電源線と分離したネットワークでもよいし、電源を兼用する電力線重畳方式のネットワークでもよい。
〔制御監視装置について〕    制御監視装置は、複数の非常用照明器具などの防災用照明器具とともにネットワークに接続し、ネットワークを経由して複数の防災用照明器具などを統括して制御し、かつ監視する。また、監視結果に基づく判断を行い、それを表示するように構成してもよい。
【００３７】
また、制御監視装置は、複数個の防災用照明器具を統括して制御、監視するために、少なくとも複数個の防災用照明器具に対して自動点検指令信号を個別に送信することができ、また自動点検を行った防災用照明器具から点検結果信号を受信する。制御、監視の一態様として防災用照明器具におけるランプ交換、ランプ異常および累積点灯時間によるランプ交換時期到来検知などを選択的に採用してそれを記録、保存し、所望により表示させるように構成することができる。
【００３８】
さらに、制御監視装置は、複数個の防災用照明器具を個別に識別するために、個別に設定されたアドレスを登録し、複数個の防災用照明器具のランプまたは非常用電源（バッテリ）の接続状態などを監視し、複数個の防災用照明器具に対して自動点検実施の日時を自動的に割り付けるなどの機能を備えることができる。
【００３９】
なお、自動点検としては、定期点検、週間点検および常時監視などの点検モードについて実施するように制御監視装置を構成することができる。定期点検は、２０分または６０分間の法定時間非常点灯させて行い、バッテリ電圧が基準電圧であるか点検する。週間点検は、１分間の非常点灯を行い、バッテリ電圧および点灯回路をチェックする。常時監視は、ランプ寿命監視、ランプ不点監視、バッテリ異常監視、器具異常監視および通信異常監視などを適宜行う。また、以上の点検結果の異常に対しては、異常表示を行う。
〔本発明の防災用照明器具自動点検システムの動作について〕
本発明によれば、制御監視装置において、ネットワークに接続する複数個の防災用照明器具を個別に識別して予め設定された制御および監視を行うことができる。上記制御および監視は、特定のものに限定されるものではなく、所望により種々の制御および監視を行うことができる。
【００４０】
所望により、例えば１つの防災用照明器具自動点検システムの中に複数種の防災用照明器具の併用を許容する。この場合、所定の種別の防災用照明器具（例えば、非常用照明器具）に対しては、所定の自動点検（例えば、週間自動点検）に対する点検指令信号の送信をスキップさせることができる。また、所望により異なった自動点検をさせることもできる。したがって、防災用照明器具の種別に応じて最適な自動点検を行うことができる。しかし、上記のように特定種別に対する特別な自動点検を行わない場合には、全ての種別の防災用照明器具に対して、同じ自動点検を指令することができるのはいうまでもない。
【００４１】
また、非常用照明器具のみを対象とした専用の防災用照明器具自動点検システムを指向することを許容する。
【発明の効果】
【００４２】
本発明によれば、放電ランプの点灯状態を非常用点灯装置側において容易に検知できる放電ランプ点灯装置およびこれを備えた防災用照明器具自動点検システムを提供することができる。
【発明を実施するための最良の形態】
【００４３】
以下、図面を参照して本発明を実施するための形態を説明する。
【００４４】
図１は、本発明の放電ランプ点灯装置を実施するための一形態を示す回路ブロック図である。図において、放電ランプ点灯装置ＤＯＣは、防災用照明器具自動点検システムに組み込まれて使用できるように構成されており、放電ランプ１、常用点灯装置２、非常用点灯装置３、点検スイッチ４、制御回路５ならびに図示を省略しているランプモニターおよび充電モニターを具備している。なお、図において、符号８は交流電源、９は壁スイッチである。
【００４５】
放電ランプ１は、蛍光ランプからなり、常用時および非常時のいずれにおいても照明を行うための共通の光源である。そして、放電ランプ１は、一対のフィラメント電極を備えていて、そのフィラメント加熱回路が非常用点灯装置３内の切換回路機能によっていずれも後述する常用点灯装置２および非常用点灯装置３のフィラメント加熱回路の出力端に接続している。
【００４６】
常用点灯装置２は、放電ランプ１を常用時に点灯させる回路手段であり、電子化された高周波インバータを主体とする回路構成を採用して構成するのが一般的であって、交流電源８により付勢されて作動する。また、常用点灯装置２は、その電源回路が壁スイッチ９を介して交流電源８に接続される。したがって、人が壁スイッチ９を操作してこれを投入した場合にのみ付勢されて放電ランプ１を点灯させる。要するに、放電ランプ１が常用点灯装置２から付勢される場合、壁スイッチ９により点滅可能になっている。なお、本形態において、常用点灯装置２は、後述するように壁スイッチ９の投入に連動する制御回路５の回路切換機能により電源の投入が制御される。
【００４７】
非常用点灯装置３は、バッテリ３ａ、その充電回路、回路切換機能および非常用の高周波点灯回路３ｂを備えて構成されている。また、非常用点灯装置３は、その入力端が交流電源８に常時接続する。なお、バッテリ３ａは、常時交流電源８により充電回路を経由して充電され、非常時に放電ランプ１の点灯電力を供給する。回路切換機能は、後述する制御回路５による常用点灯装置２および非常用点灯装置３の切り換えに連動して、放電ランプ１のフィラメント加熱回路を切り換える。非常用の高周波点灯回路３ｂは、高周波インバータを主体とする回路構成であり、非常時および点検時に放電ランプ１を高周波点灯する。
【００４８】
点検スイッチ４は、人が直接操作したとき、または防災用照明器具自動点検システムに組み込まれている場合に、その制御監視装置からの指令により自動的に操作されたときに、強制的に所定時間非常用点灯装置３を作動させて、非常用点灯装置３が正常に動作するかを点検する。
【００４９】
制御回路５は、非常用点灯装置３内に配設されていて、非常用点灯装置３を制御するとともに放電ランプ１の点灯状態を検知する。本形態において、制御回路５は、マイコン５ａを主体として構成されているが、さらに壁スイッチ投入検知回路５ｂ、電源切換リレー５ｃおよび入力電流検出回路５ｄを含んでいる。
【００５０】
マイコン５ａは、図において、ピン（３６）がフォトカプラＰＣの受光素子ＰＤに接続している。なお、受光素子ＰＤは、そのアノードが抵抗器Ｒ１を介して制御電源ＶＤ−Ｄに接続している。また、マイコン５ａのピン（９）は、後述する電源切換リレー５ｃの駆動回路ＲＤに接続している。
【００５１】
壁スイッチ投入検知回路５ｂは、壁スイッチ９のオン時に常用点灯装置２の電源回路を流れる電流により壁スイッチ９の投入を検知する回路手段であり、上記投入を検知すると、上記フォトカプラＰＣの発光素子ＰＴが発光してフォトカプラＰＣがオンする。
【００５２】
電源切換リレー５ｃは、その接点が常用点灯装置２の電源回路に直列に挿入され、そのリレーコイルが駆動回路ＲＤにより駆動される。駆動回路ＲＤは、トランジスタＱ１およびＱ２を主体として構成されている。そして、トランジスタＱ２は、マイコン５ａにより、そのピン（９）を経由して制御される。
【００５３】
そうして、電源切換リレー５ｃは、壁スイッチ投入検知回路５ｂに連動する。すなわち、壁スイッチ９が投入されると、壁スイッチ投入検知回路５ａがこれを検知し、フォトカプラＰＣがオンすると、マイコン５ａのピン（３６）の電位が低くなり、ピン（９）の電位が高くなるので、駆動回路ＲＤが消勢されてオンとなる。
【００５４】
入力電流検出回路５ｄは、電源切換リレー５ｃを介して常用点灯装置２に流入する入力電流を検出する。
【００５５】
前記マイコン５ａは、壁スイッチ投入検知回路５ｂが壁スイッチ９の投入を検知したときに放電ランプ１を点灯させるように制御を開始するとともに、壁スイッチ投入検知回路５ｂにおける壁スイッチ投入検知時および入力電流検出回路５ｄに流れる入力電流が所定値以上のときの少なくともいずれか一方の条件が満足されたことによって放電ランプ１が点灯状態であると判定するように構成されている。
【００５６】
ランプモニターは、赤色発光を行い、非常用点灯装置３による点灯の際に放電ランプ１が装着されていないか、回路に接続していない状態のときに点灯し、放電ランプ１が回路に接続した状態で装着されていれば消灯する。
【００５７】
充電モニターは、緑色発光を行い、バッテリの接続が外れている場合に消灯する。
【００５８】
次に、図２ないし図４を参照して本発明の放電ランプ点灯装置の図１に示す第１の形態において、さらにランプ交換通知を行うように構成した第２ないし第４の形態について説明する。
【００５９】
図２は、本発明の放電ランプ点灯装置を実施するための第２の形態におけるランプ交換通知の手順を示す流れ図である。以下、流れ図にしたがって手順を説明する。
【００６０】
１．「通常」                  ：常用点灯装置２による通常時点灯中であることを示している。
【００６１】
２．「ＡＣ電源遮断」          ：放電ランプ１を交換する場合には、最初に点検スイッチ４を操作して常用時点灯の電源すなわち交流電源８を遮断する。
【００６２】
３．「非常点灯」              ：放電ランプ１が非常用点灯装置３により点灯を開始する。
【００６３】
４．「ランプ脱」              ：交換のために放電ランプ１を取り外す。
【００６４】
５．「内蔵ランプモニター点灯」：放電ランプ１を取り外したため、ランプモニターが点灯する。
【００６５】
６．「新規ランプに取り替え」  ：放電ランプ１を新規のものに交換する。
【００６６】
７．「内蔵ランプモニター消灯」：新規の放電ランプ１が装着されたため、ランプモニターが消灯する。
【００６７】
８．「ＡＣ電源投入」          ：交流電源８を投入する。
【００６８】
９．「ランプ交換通知」        ：以上の手順が実施されると、放電ランプ１が交換されたとして記録が保存され、かつ防災用照明器具自動点検システムのネットワークを経由してその制御監視装置にその旨通知される。
【００６９】
図３は、本発明の放電ランプ点灯装置を実施するための第３の形態におけるランプ交換通知の手順を示す流れ図である。以下、図１に示す第２の形態との相違点を中心に特徴的な手順について説明する。
【００７０】
すなわち、本形態においては、ＡＣ電源の遮断と投入の手順に代えて点検スイッチ４の通常の操作とは異なる態様の手順である長押し操作を行うことでランプ交換の開始と終了を登録するようにしている。
【００７１】
図４は、本発明の放電ランプ点灯装置を実施するための第４の形態におけるランプ交換通知の手順を示す流れ図である。以下、図１に示す第２の形態との相違点を中心に特徴的な手順について説明する。
【００７２】
すなわち、本形態においては、ランプ交換後の「ＡＣ電源投入」と「ランプ交換通知」との間に「点検スイッチ長押し」手順を挿入してランプ交換の終了を登録している。
【００７３】
図５および図６は、本発明の防災用照明器具自動点検システムを実施するための一形態を示し、図５は概略配線図、図６は制御監視装置の正面図である。
【００７４】
本形態において、図５に示すように防災用照明器具自動点検システムは、非常用照明器具１０、ネットワーク１１ならびに制御監視装置ＣＭを具備して構成されている。
【００７５】
ネットワーク１１は、複数の非常用照明器具１０と制御監視装置ＣＭとの間を接続して自動点検を行えるようにする通信媒体である。本形態において、ネットワーク１１は、シールド付２線からなる。
【００７６】
制御監視装置ＣＭは、ネットワーク１１に接続するとともに、自動火災報知設備のｂ接点ＡＦＡに接続して、火災報知動作に連動して複数の非常用照明器具１０を所要に制御する。
【００７７】
また、制御監視装置ＣＭは、自システムに接続する複数の非常用照明器具１０から送出されるアドレスを受信して内部に登録し、点検指令信号をアドレスにしたがい順次ネットワーク１１を経由して各非常用照明器具１０へ送出する。なお、点検は、定期点検、週間点検および常時監視の３点検モードで行うことができる。そして、非常用照明器具１０からの応答信号を受信し、集計して、各非常用照明器具１０の点検結果を一覧可能に表示することができる。
【００７８】
さらに、制御監視装置ＣＭは、各非常用照明器具１０から送信されてきたランプ交換情報を受信し、保存して、一覧表示したり、個別に検索して閲覧できるようにしたりすることができるように構成されている。
【００７９】
さらにまた、制御監視装置ＣＭは、図６に示すように、その正面において外部から見える位置に器具状態表示・操作部Ｄ／Ｏが配設されている。この器具状態表示・操作部Ｄ／Ｏには、それぞれ複数の表示部および操作スイッチが配置されている。また、その内部には、電源端子台Ｔ１、自火報接続用端子台Ｔ２および器具通信用端子台Ｔ３を備えている。そして、電源端子台Ｔ１には専用の１００Ｖ商用交流電源１２が電源線を経由して接続している。自火報接続用端子台Ｔ２には、火災報知設備のｂ接点ＡＦＡが接続している。器具通信用端子台Ｔ３には、ネットワーク１１を経由して前記非常用照明器具１０の通信用端子台が接続する。
【図面の簡単な説明】
【００８０】
【図１】本発明の放電ランプ点灯装置を実施するための一形態を示す回路ブロック図
【図２】本発明の放電ランプ点灯装置を実施するための第２の形態におけるランプ交換通知の手順を示す流れ図
【図３】本発明の放電ランプ点灯装置を実施するための第３の形態におけるランプ交換通知の手順を示す流れ図
【図４】本発明の放電ランプ点灯装置を実施するための第４の形態におけるランプ交換通知の手順を示す流れ図
【図５】本発明の防災用照明器具自動点検システムを実施するための一形態を示す概略配線図
【図６】同じく制御監視装置の正面図
【符号の説明】
【００８１】
１…放電ランプ、２…常用点灯装置、３…非常用点灯装置、３ａ…バッテリ、３ｂ…高周波点灯回路、４…点検スイッチ、５…制御回路、５ａ…マイコン、５ｂ…壁スイッチ投入検知回路、５ｃ…電源切換リレー、５ｄ…入力電流検出回路、８…交流電源、９…壁スイッチ、ＤＯＣ…放電ランプ点灯装置、ＰＣ…フォトカプラ、ＰＤ…受光素子、ＰＴ…発光素子、ＲＤ…駆動回路
【図１】
2008053127.tif 000003
【図２】
2008053127.tif 000004
【図３】
2008053127.tif 000005
【図４】
2008053127.tif 000006
【図５】
2008053127.tif 000007
【図６】
2008053127.tif 000008